(57)【要約】      （修正有）【課題】施術突起を頭皮に接触させて刺激を付与する頭皮ケア装置において、施術ヘッド部の外れを使用者に知らせることを可能とする。【解決手段】着脱可能な施術ヘッド部１２が装置本体部１１に対して取り外された状態において、モータ３２の駆動を停止させる停止手段としてのレバー部材３６ａが備えられ、施術ヘッド部１２の外れを使用者に知らせる。レバー部材３６は、施術ヘッド部１２の動作軸の直交方向においてその動作領域から軸直交方向にずれた位置に配置される。【選択図】図３
2012061174.tif 000002
【特許請求の範囲】
【請求項１】
装置本体部と、該装置本体部に対して着脱可能に設けられる施術ヘッド部とを備え、
前記施術ヘッド部には駆動源により駆動される施術突起を有する施術子が設けられ、該施術突起によって使用者の頭皮に刺激を付与する頭皮ケア装置であって、
前記施術ヘッド部が前記装置本体部に対して取り外された状態において、前記駆動源の駆動を停止させる停止手段を備えたことを特徴とする頭皮ケア装置。
【請求項２】
請求項１に記載の頭皮ケア装置において、
前記停止手段は、前記施術ヘッド部の取り外しに連動して前記駆動源への電力供給路中において機械的な接触状態を非接触状態に切り替えることで前記駆動源の駆動を停止させるように構成されたことを特徴とする頭皮ケア装置。
【請求項３】
請求項１又は２に記載の頭皮ケア装置において、
前記停止手段は、前記施術ヘッド部の着脱方向と同方向に付勢されるとともに移動可能に設けられる被付勢部材を有し、
前記被付勢部材は、前記施術ヘッド部が前記装置本体部から取り外された状態では該被付勢部材を付勢する付勢力にて前記駆動源への電力供給が不能に構成されるとともに、前記施術ヘッド部が前記装置本体部に取付けられた状態では前記被付勢部材を付勢する付勢力に抗する方向に押圧されて前記駆動源への電力供給が可能に構成されたことを特徴とする頭皮ケア装置。
【請求項４】
請求項３に記載の頭皮ケア装置において、
前記停止手段の被付勢部材は、前記施術子の動作軸の直交方向において前記施術子の動作領域から軸直交方向にずれた位置に配置されたことを特徴とする頭皮ケア装置。
【請求項５】
請求項１に記載の頭皮ケア装置において、
前記停止手段は、前記施術ヘッド部が取り外されることによる前記駆動源の負荷変動に基づいて前記駆動源の駆動を停止させるように構成されたことを特徴とする頭皮ケア装置。
【発明の詳細な説明】
【技術分野】
【０００１】
本発明は、施術突起を頭皮に接触させて刺激を付与する頭皮ケア装置に関するものである。
【背景技術】
【０００２】
従来、例えば特許文献１の頭皮ケア装置では、施術突起を有する施術子が駆動源の駆動により動作するように構成されており、動作する施術子の施術突起を頭皮に接触させて機械的な刺激を与えることで、血流促進等の頭皮のケア効果が得られるようになっている。
【０００３】
また、特許文献１の頭皮ケア装置では、使用者が把持可能な装置本体部に対して複数の施術突起を有する施術ヘッド部（特許文献１では施療部）が着脱可能に構成される。
【先行技術文献】
【特許文献】
【０００４】
【特許文献１】特開２００８−２０６９０２号公報
【発明の概要】
【発明が解決しようとする課題】
【０００５】
ところで、上記のような頭皮ケア装置では、装置本体部に対して施術突起を有する施術ヘッド部が着脱可能に構成されるため、使用者によって施術ヘッド部を取り外すことが可能とされる。そのため、装置本体に対して施術ヘッド部の取付けられた状態が確実でない場合であっても使用可能であり、使用中に施術ヘッド部が外れてしまう虞があった。
【０００６】
本発明は、上記課題を解決するためになされたものであって、その目的は、施術ヘッド部の外れを使用者に知らせることが可能な頭皮ケア装置を提供することにある。
【課題を解決するための手段】
【０００７】
上記課題を解決するために、本発明の頭皮ケア装置は、装置本体部と、該装置本体部に対して着脱可能に設けられる施術ヘッド部とを備え、前記施術ヘッド部には駆動源により駆動される施術突起を有する施術子が設けられ、該施術突起によって使用者の頭皮に刺激を付与する頭皮ケア装置であって、前記施術ヘッド部が前記装置本体部に対して取り外された状態において、前記駆動源の駆動を停止させる停止手段を備えたことを特徴とする。
【０００８】
また上記構成において、停止手段は、前記施術ヘッド部の取り外しに連動して前記駆動源への電力供給路中において機械的な接触状態を非接触状態に切り替えることで前記駆動源の駆動を停止させるように構成されることが好ましい。
【０００９】
また上記構成において、停止手段は、前記施術ヘッド部の着脱方向と同方向に付勢されるとともに移動可能に設けられる被付勢部材を有し、前記被付勢部材は、前記施術ヘッド部が前記装置本体部から取り外された状態では該被付勢部材を付勢する付勢力にて前記駆動源への電力供給が不能に構成されるとともに、前記施術ヘッド部が前記装置本体部に取付けられた状態では前記被付勢部材を付勢する付勢力に抗する方向に押圧されて前記駆動源への電力供給が可能に構成されることが好ましい。
【００１０】
また上記構成において、停止手段の被付勢部材は、前記施術子の動作軸の直交方向において前記施術子の動作領域から前記軸直交方向にずれた位置に配置されることが好ましい。
【００１１】
また上記構成において、停止手段は、前記施術ヘッド部が取り外されることによる前記駆動源の負荷変動に基づいて前記駆動源の駆動を停止させるように構成されることが好ましい。
【発明の効果】
【００１２】
本発明によれば、施術ヘッド部の外れを使用者に知らせることが可能な頭皮ケア装置を提供することができる。
【図面の簡単な説明】
【００１３】
【図１】本実施形態における頭皮ケア装置の斜視図である。
【図２】同上における頭皮ケア装置の上面図である。
【図３】図２における頭皮ケア装置のＡ−Ａ断面図である。
【図４】図２における頭皮ケア装置のＢ−Ｂ断面図である。
【図５】装置本体部の部分分解斜視図である。
【図６】装置本体部の部分分解斜視図である。
【図７】装置本体部の部分分解斜視図である。
【図８】施術ヘッド部の分解斜視図である。
【図９】頭皮ケア装置の下面図である。
【図１０】装置本体部の下面図である。
【図１１】装置本体部の斜視図である。
【図１２】施術ヘッド部の表面側における斜視図である。
【図１３】施術ヘッド部の表面側における平面図である。
【図１４】施術ヘッド部の裏面側における斜視図である。
【図１５】施術ヘッド部の裏面側における平面図である。
【図１６】施術ヘッド部の断面図である。
【図１７】施術ヘッド部の断面図である。
【図１８】カバー部及び施術子の裏面側における斜視図である。
【発明を実施するための形態】
【００１４】
以下、本発明を具体化した一実施形態を図面に従って説明する。
図１は、本実施形態における頭皮ケア装置の全体斜視を示す。本実施形態の頭皮ケア装置１０は、装置本体部１１と、この装置本体部１１の一端側（下端側）において着脱可能に設けられる施術ヘッド部１２とを有している。
【００１５】
図２及び図３に示すように装置本体部１１は、中空の本体ハウジング１３を備えている。図３及び５に示すように、本体ハウジング１３は、前記施術ヘッド部１２が取付けられる一端側（下端側）に略四角形状の開口部が形成されている。また、本体ハウジング１３の前記開口部とは反対側である他端側（上端側）には、前記一端側の開口部より開口面積の小さな略楕円形状の開口部が形成されている。
【００１６】
また、本体ハウジング１３は、その上下方向途中位置において、略四角形状の前記開口部及び略楕円形状の前記開口部よりも縮径された断面視略楕円環状の縮径部１３ａ（図２参照）を有している。つまり、本体ハウジング１３は前記各開口部のそれぞれから前記縮径部１３ａにかけて徐々に縮径される形状となるように形成されている。因みに、この縮径部１３ａは、図３に示すように上下方向における上側である略楕円形状の開口部寄りとなる位置に形成されている。
【００１７】
図３に示すように、縮径部１３ａにはその内部において本体ハウジング１３の強度を向上させるべく上下方向と直交する方向に延びる中間壁部１３ｂが形成されている。なお、中間壁部１３ｂには上下方向に貫通する貫通孔（図示略）が形成されており、この貫通孔にて本体ハウジング１３はその内部が上下方向において連通した状態となる。
【００１８】
図３に示すように、本体ハウジング１３の上方に形成される略楕円形状の開口部は、この開口部に倣った略楕円ドーム状のカバー部材２１にて閉塞されている。このカバー部材２１には上下方向に貫通する大径の貫通孔２１ａが１つ、同じく上下方向に貫通する小径の貫通孔２１ｂが３つ、その長手方向（図３において左右方向）に並ぶように形成されている。
【００１９】
図３に示すように、大径の貫通孔２１ａにはこの貫通孔２１ａよりも若干小径のスイッチ操作部材２２が上下方向移動可能に設けられる。このスイッチ操作部材２２は下方に延びる押圧用凸部２２ａが一体形成される。図３及び図５に示すように、この押圧用凸部２２ａは本体ハウジング１３内に収容されたスイッチ側基台２３と本体ハウジング１３とで挟持されるスイッチ側基板２４上のスイッチ２４ａ（例えばタクトスイッチ（登録商標））を上方から押圧可能な位置に形成される。ちなみに、前記スイッチ側基台２３は、２つのＯリング２５ａがそれぞれ圧入されたねじ２５により前記スイッチ側基板２４を本体ハウジング１３とで挟持した状態でねじ固定される。このとき、前記スイッチ側基台２３の外周縁部にはこのスイッチ側基台２３の外周縁部に倣った形状のＯリング２３ｂが圧入されている。このＯリング２３ｂにより本体ハウジング１３内側面と前記スイッチ側基台２３の外縁部との間隙を塞いで本体ハウジング１３内部に水等が浸入することを防止している。
【００２０】
小径の貫通孔２１ｂには、前記スイッチ側基板２４上において前記小径の各貫通孔２１ｂと上下方向において対向するＬＥＤ（Light Emitting Diode：発光ダイオード）２６（図３参照）から出力される光を導光するＬＥＤカバー２７が設けられる。
【００２１】
また、スイッチ側基台２３には上下方向に貫通する貫通孔２３ａ（図５参照）が形成される。この貫通孔２３ａには略円盤状のシールゴム部材２８にて閉塞される。このシールゴム部材２８には前記スイッチ２４ａを押圧操作するためのスイッチ操作部材２２に形成される押圧用凸部２２ａが嵌入される凹部が形成されている。このため、例えばスイッチ操作部材２２が外部から使用者により押圧操作されることで、シールゴム部材２８が弾性変形してスイッチ２４ａが操作可能とされる。この時、シールゴム部材２８により貫通孔２３ａが閉塞されるため本体ハウジング１３内部に水等が浸入することを防止している。
【００２２】
また、本体ハウジング１３は、その内部において前記中間壁部１３ｂよりも下方側に略平板状のモータ基台３０が収容されている。モータ基台３０の下面側に後述するギヤ基台４０が配置されて、前記モータ基台３０を本体ハウジング１３との間で挟持した状態で上下方向下方側から挿通される複数のねじ３１にて固定されている。
【００２３】
図５に示すようにモータ基台３０には、その上面略中央部に２つの側壁からなるモータ支持部３０ａが形成されるとともに、このモータ支持部３０ａには駆動源としてのモータ３２が支持されている。
【００２４】
また、モータ基台３０には、前記モータ３２に電力供給するための蓄電池３３が電池固定部材３４と前記モータ基台３０とで挟持されている。図５に示すように略円柱状の蓄電池３３の両端面には、前記モータ基台３０の下面側からモータ基台３０に挿通固定される金属製部材（導電体）からなる陽極金具３４ａ及び陰極金具３４ｂが当接されることで電気的に接続される。そして、各金具３４ａ，３４ｂは、本体ハウジング１３内に収容される本体側基板３５上の制御回路と電気的に接続される。ここで、前記モータ３２は、その一方のターミナルにリード線（図示略）を介してモータ基台３０に設けられる略Ｌ字状のモータ用金具３４ｃ電気的に接続される。そして、他方のターミナルがリード線（図示略）を介して本体ハウジング１３内に収容される本体側基板３５上の制御回路と電気的に接続される。モータ用金具３４ｃは後述する停止手段を構成するばね部材３６ｂによって下方に付勢されるレバー部材３６ａにより上方に押圧されることで前記本体側基板上の制御回路と電気的に接続されるレバー金具３４ｄと電気的且つ機械的に接続されるようになっている。そして、前記蓄電池３３の電力が各金具３４ａ〜３４ｄ、リード線及び制御回路を介してモータ３２に供給される。
【００２５】
ちなみに、前記本体側基板３５は、図５に示すように前記スイッチ側基板２４の下面側に設けられるコネクタ取付部２４ｂに、複数のリード線３７ａを有するコネクタ部材３７ｂを接続することで電気的に接続されて各種の電気信号が双方向に伝送される。前記リード線３７ａを介して前記各基板２４，３５上の制御回路に伝送される信号としては、例えば前記スイッチ２４ａのオン状態やオフ状態の信号やモータ３２の駆動力（回転数）を決定するための信号があり、前記リード線３７ａにて前記ＬＥＤ２６等を駆動させるための電力伝送等に用いられている。
【００２６】
ここで、前記モータ基台３０に設けられる蓄電池３３は、外部電源（例えば商用電源）と電気的に接続されることで充電が可能とされている。即ち、前記モータ基台３０の側縁部においてモータ基台３０の中心側に凹状をなす取付用凹部３０ｂに前記外部電源と接続するためのプラグ端子３８ａが一体とされたプラグ基台３８ｂが設けられる。そして、プラグ基台３８ｂのプラグ端子３８ａは、前記本体ハウジング１３の側面に形成される挿通孔（図示略）から側方に突出して外部に露出するようになっている。そしてこのプラグ端子３８ａにコネクタを有するケーブルＣが接続されて、前記本体側基板３５の制御回路及び前記各金具３４ａ，３４ｂを介して前記蓄電池３３に充電が可能となっている。なお、本体ハウジング１３の側面に形成される前記挿通孔においては、前記プラグ端子３８ａにそれぞれＯリング３８ｃが設けられることで前記本体ハウジング１３内への水の浸入を防止するように防水構造が施されている。
【００２７】
図６に示すように、モータ３２の駆動力は、出力側である施術ヘッド部１２側までモータ３２の駆動力が減速出力、つまりトルクが向上されるように複数のギヤ３２ｂ，４１〜４５，４６ａ〜４６ｄ等を介してその駆動力が伝達されるようになっている。
【００２８】
モータ３２のモータ軸３２ａの先端側がモータ基台３０の略中央部において上下方向に貫通する貫通孔３０ｃに挿通された状態で、その先端部にピニオンギヤ３２ｂが一体回転可能に圧入固定されている。ピニオンギヤ３２ｂには、モータ基台３０とねじ３１にて固定されるギヤ基台４０に圧入固定される軸４０ａに対して回転可能とされる第１伝達ギヤ４１の大径ギヤ部４１ａが噛合される。
【００２９】
第１伝達ギヤ４１には、前記大径ギヤ部４１ａよりも小径の小径ギヤ部４１ｂが一体成形されるとともに、この小径ギヤ部４１ｂには前記ギヤ基台４０に圧入固定される軸４０ｂに対して回転可能とされるとともに前記第１伝達ギヤ４１の小径ギヤ部４１ｂよりも大径の第２伝達ギヤ４２の大径ギヤ部４２ａが噛合される。
【００３０】
第２伝達ギヤ４２の大径ギヤ部４２ａには、この第２伝達ギヤ４２と略同形状・略同サイズで前記ギヤ基台４０に圧入固定される軸４０ｃに対して回転可能とされる第３伝達ギヤ４３の大径ギヤ部４３ａが噛合される。前記第２伝達ギヤ４２及び第３伝達ギヤ４３には各大径ギヤ部４２ａ，４３ａの一端面にそれぞれ小径ギヤ部４２ｂ，４３ｂが一体成形されている。
【００３１】
第２伝達ギヤ４２の小径ギヤ部４２ｂには、この小径ギヤ部４２ｂよりも大径の第４伝達ギヤ４４の大径ギヤ部４４ａが噛合される。そして、第３伝達ギヤ４３の小径ギヤ部４３ｂには、この小径ギヤ部４３ｂよりも大径で前記第４伝達ギヤ４４と略同一形状・同サイズの第５伝達ギヤ４５の大径ギヤ部４５ａが噛合される。なお、第３及び第４伝達ギヤ４３，４４は、ギヤ基台４０に圧乳固定される軸４０ｄ，４０ｅに対して回転可能とされる。
第４伝達ギヤ４４及び第５伝達ギヤ４５には、各大径ギヤ部４４ａ，４５ａのそれぞれの一端面に小径ギヤ部４４ｂ，４５ｂが一体成形されている。第４伝達ギヤ４４及び第５伝達ギヤ４５の各小径ギヤ部４４ｂ，４５ｂには、それぞれ２つ、つまり計４つの最終ギヤ４６ａ〜４６ｄが噛合される。これらの各最終ギヤ４６ａ〜４６ｄには、その径方向略中心位置にそれぞれ連結軸４７が圧入若しくはインサート成形にて一体回転可能に配置されている。
【００３２】
各連結軸４７には、図４、図６及び図７に示すように軸方向（上下方向）に所定間隔隔てて各連結軸４７を回転可能に支持する２つのベアリング４８がそれぞれ設けられる。
各連結軸４７は、図３、図４及び図７に示すようにその先端側が防水基台５０の底部５０ａ及びこの底部５０ａ下面側に取り付けられる押さえ板５１のそれぞれに設けられる複数（本実施形態では４つ）の挿通孔５０ｂ，５１ａに挿通される。そして各連結軸４７には、前記防水基台５０の挿通孔５０ｂよりも下方側、かつ前記押さえ板５１よりも上方側においてＯリング５２が取り付けられている。このため、前記防水基台５０の挿通孔５０ｂから前記本体ハウジング１３内部に水等が浸入することを防止できるようになっている。
【００３３】
防水基台５０は、前記本体ハウジング１３の略四角形状の開口部よりも若干小さい形状をなすとともに、この防水基台５０の外周縁部にはこの外周縁部の形状に倣ったシール部材５３が取り付けられた状態で前記防水基台５０が本体ハウジング１３に取り付けられる。このとき、シール部材５３は防水基台５０の外周縁部及び本体ハウジング１３の内周面間において弾性変形するため、防水基台５０の外周縁部及び本体ハウジング１３の内周面間での間隙を閉塞して防水構造とされる。
【００３４】
また、防水基台５０には、その底部５０ａ下面側にこの底部５０ａと略同形状の金属製板状部材からなる前記押さえ板５１が配置されるとともに、この押さえ板５１及び防水基台５０は本体ハウジング１３に複数（本実施形態では４つ）のねじ５４にてねじ固定される。このとき、ねじ５４には前記押さえ板５１と防水基台５０との間において弾性変形するＯリング５４ａが介在されるため、本体ハウジング１３において防水基台５０よりも内側に水等が浸入することを防止できるようになっている。
【００３５】
また、前記連結軸４７は、その軸方向一端側（上下方向下端側）である先端部４７ａがＤカット形状とされ、その先端部４７ａにはそれぞれに回転基台５５が取付けられる。
図７〜図１１に示すように回転基台５５は、略円盤状をなすベース部５５ａと、このベース部５５ａの径方向中心から径方向外側にずれた位置において下方に凸となる第１連結部５５ｂと、前記ベース部５５ａの径方向略中心に設けられる第２連結部５５ｃとを有している。
【００３６】
回転基台５５の第１連結部５５ｂには前記連結軸４７の先端部４７ａが挿入される。そして、回転基台５５の第２連結部５５ｃには、出力軸５６が圧入固定される。このため出力軸５６は、前記各最終ギヤ４６ａ〜４６ｄの軸中心からずれた位置で前記連結軸４７を中心として周回動作するように設定されている。
【００３７】
一方、上記のように構成された装置本体部１１に着脱可能に設けられる施術ヘッド部１２は、本体ハウジング１３の下方側に形成される略四角形状の前記開口部を閉塞させるカバー部６１と、前記モータ３２の駆動力を受けて駆動される施術子８１ａ〜８１ｄとを有している。
【００３８】
図８、図１２及び図１３に示すようにカバー部６１は例えばエラストマ等の可撓性を有する部材で構成されるとともに、前記本体ハウジング１３の略四角形状の開口部と前記上下方向と直交する方向の面積が略同等となる大きさに設定されている。
【００３９】
カバー部６１には、可撓性を有する部材で構成されるカバー部６１よりも硬質材料で構成されるヘッドベース部６２が取付けられている。ヘッドベース部６２は、前記カバー部６１の外周縁部６１ａの内周面に取付けられるとともにこの外周縁部６１ａの形状に倣った外枠部６３と、この外枠部６３の各辺の略中央から中心側にむけて延出するとともに中心部で連結される桟部６４を有している。
【００４０】
外枠部６３には、防水基台５０側（上方側）に延出して先端部が外側に延出する係合部６３ａを有し、この係合部６３ａにて前記防水基台５０とスナップフィット係合により上下方向において係合されるようになっている。
【００４１】
また、外枠部６３にはその各辺の略中央部において外側（側方）に延出する延出部６３ｂが設けられるとともに、この延出部６３ｂは前記カバー部６１の外周縁部６１ａの各辺の略中央に設けられる側方に貫通する貫通孔６１ｂと嵌合される。これにより、ヘッドベース部６２に前記カバー部６１が取付けられる。このようにカバー部６１よりも硬質材料でなるヘッドベース部６２にカバー部６１を取付けることで装置本体部１１には硬質なヘッドベース部６２にて容易に取付けることができるため、施術ヘッド部１２を装置本体部１１に容易に取付けることが可能となっている。
【００４２】
桟部６４は、前記外枠部６３側から延出して中央部に設けられる中央連結部６５にて各桟部６４が連結される。各桟部６４にはその下面側に強度向上のためのリブ部６４ａがそれぞれ設けられている。また、各桟部６４には、各リブ部６４ａの中央上面側において上方に延出する円柱状の突起部６４ｂがそれぞれ形成されている。これらの突起部６４ｂは、ヘッドベース部６２（中央連結部６５）の中心から略同一距離で周方向略９０度間隔に形成されている。このため、前記施術ヘッド部１２を装置本体部１１に取付けた状態において、そのいずれか１つが上下方向（軸方向）に所定量移動可能な前記レバー部材３６ａの下端と当接するようになっている。
【００４３】
中央連結部６５にはその下面側に略円筒状の係合部６５ａが形成されるとともに、この係合部６５ａには前記カバー部６１の略中央部に形成される突起部６１ｃと上下方向において係合されて軸方向（上下方向）への抜け止めがなされている。
【００４４】
中央連結部６５には、その上面側には施術子８１ａ〜８１ｄの上下方向への移動を規制する支持装置６６が設けられている。
支持装置６６は、前記中央連結部６５に取付けられる係合部６７と、この係合部６７によって軸方向（上下方向）への移動が規制されるとともに施術子８１ａ〜８１ｄ側と連結される略平板状の連結部材６８とを有している。
【００４５】
係合部６７は、その下面側に前記ヘッドベース部６２の中央連結部６５と接続される係合凸部６７ａが複数設けられている。また係合部６７には、上下方向と直交する方向に面する４つの側面に前記連結部材６８を挿通させる挿通孔６９が形成されている。この挿通孔６９は、係合部６７の各側面それぞれの軸方向（上下方向）において異なる位置にそれぞれ４つ並設、つまり各側面に計１６個の挿通孔６９が設けられている。
【００４６】
係合部６７の挿通孔６９には、各側面において１つずつ計４つの略平板状の連結部材６８の基端部がそれぞれ挿通される。このとき、前記各連結部材６８は、上下方向（軸方向）において異なる位置となるように各挿通孔６９に挿通される。つまり、上下方向視（軸方向視）において、各連結部材６８の基端部が重なるように配置されるため、上下方向と直行する方向（軸直交方向）への大きさを極力抑えることができるようになっている。
【００４７】
連結部材６８の先端部側には２股湾曲形状（本実施形態では略Ｕ字状）とされる湾曲係合部７０が設けられている。
図１４及び図１５に示すように連結部材６８の湾曲係合部７０は、その湾曲状の内周面に略円柱状の施術子基台７１の基端側の外周面に形成される溝部７２に嵌入されて、この溝部７２と前記湾曲係合部７０が軸方向である上下方向に係合するようになっている。これにより、施術子基台７１の軸方向（上下方向）への移動が規制されるようになっている。
【００４８】
図１５〜図１７に示すように各施術子基台７１は、前記出力軸５６を嵌入させるために嵌入凹部７１ｂが設けられている。この嵌入凹部７１ｂは、前記出力軸５６の挿入方向上流側（上下方向において下側）ほど拡径されるテーパ面７１ｃを有し、回転基台５５に設けられる出力軸５６の前記嵌入凹部７１ｂへの挿入（嵌入）を容易として取付容易性を確保している。
【００４９】
各施術子基台７１の出力側（上下方向において下方側）には前記カバー部６１と一体成形される施術子８１ａ〜８１ｄが組み付けられている。
施術子８１ａ〜８１ｄは、カバー部６１と同様に例えばエラストマ等の可撓性を有する部材で構成される。施術子８１ａ〜８１ｄは、前記施術子基台７１が取付けられる有底筒状の施術子ベース部８２と、この施術子ベース部８２の下面から下方に延出する複数の施術突起８３とを有している。施術突起８３の先端にはさらに小径の突起８３ａがそれぞれ３つ形成されている。
【００５０】
施術子８１ａ〜８１ｄの施術子ベース部８２には、前記施術子基台７１の先端側に形成される複数の凹部７１ｄと嵌合される嵌合凸部８２ａ（図１８参照）が設けられている。なお、この嵌合凸部８２ａは、前記施術子基台７１を金型に配置した状態で前記カバー部６１及び施術子８１ａ〜８１ｄを構成する樹脂部材を充填させることで、前記施術子基台７１の凹部７１ｄに倣った形状となるように成形される。つまり、カバー部６１及び施術子８１ａ〜８１ｄは、前記施術子基台７１と二色成形にて一体的に構成されている。
【００５１】
図１３、図１６及び図１７に示すように施術子８１ａ〜８１ｄを構成する施術子ベース部８２には、その周囲に前記カバー部６１の追従変形部６１ｄが設けられている。追従変形部６１ｄは、前記施術子８１ａ〜８１ｄの施術突起８３とは反対側に凹状をなして上下方向（軸方向）と直交する方向に弾性変形可能に構成されている。このため、施術子基台７１によって施術子ベース部８２が上下方向（軸方向）と直交する方向に動作されても施術子８１ａ〜８１ｄの動作を許容してその動作に追従するように変形される。なお、この追従変形部６１ｄは、蛇腹状としてもよい。
【００５２】
上記のように構成された頭皮ケア装置１０では、使用者によりスイッチ操作部材２２が押圧操作されることで、スイッチ２４ａがオンとオフとに切替えられてモータ３２が駆動されて施術子８１ａ〜８１ｄが回転する。従ってモータ３２の駆動力が各ギヤ４１〜４６を介して伝達されることで連結軸４７周りを施術ヘッド部１２の施術子８１ａ〜８１ｄが周回するように動作される。この施術子８１ａ〜８１ｄの施術突起８３（突起８３ａ）を頭皮に接触させると、施術突起８３の動きに合わせて使用者の頭皮が動かされることになり、頭皮がケア（マッサージ）されることになる。このとき、各施術子８１ａ〜８１ｄは、前記各ギヤ４１〜４６の動作並びに回転基台５５の配置関係から頭皮を一方向に動かすような動作が実施される。
【００５３】
ここで、頭皮ケア装置１０に備えられる各施術子８１ａ〜８１ｄの回転動作について、主に図９を用いて詳細に説明する。なお、図９では、頭皮ケア装置１０を下方向から見たときの平面図を示す。因みに図９では、紙面直交方向が上下方向に該当し、図における左右方向を頭皮ケア装置１０の左右方向、図における上下方向を前後方向として説明する。
【００５４】
施術子８１ａ〜８１ｄは、図９及び図１０に示すように平面視で略正方形をなすように並ぶ連結軸４７に回転基台５５、出力軸５６及び施術子基台７１を介してそれぞれ連結されている。そのうち、前後方向に隣り合う反時計回りに回転する施術子８１ａ，８１ｂは、それらの施術子ベース部８２の中心Ｐ１，Ｐ２が前記各出力軸５６を中心として互いに１８０度の位相のずれをもって回転する。また、時計回りに回転する施術子８１ｃ，８１ｄにおいても同様に、それらの施術子ベース部８２の中心Ｐ３，Ｐ４が前記各出力軸５６を中心として互いに１８０度の位相のずれをもって回転する。また、左右方向に隣り合う施術子８１ａ，８１ｃ（施術子８１ｂ，８１ｄ）においては、それらの施術子ベース部８２の中心Ｐ１，Ｐ３（中心Ｐ２，Ｐ４）が垂直二等分線Ｌに対して互いに線対称となるように回転する。
【００５５】
このような構成によれば、施術子８１ａ，８１ｃの中心Ｐ１，Ｐ３と、施術子８１ｂ，８１ｄの中心Ｐ２，Ｐ４とが前後方向に最も離れた状態（図９から反転方向に９０度回転させた状態）から、各施術子８１ａ〜８１ｄがそれぞれ９０度回転すると、図９に示すように、施術子８１ａ，８１ｃが左右方向において最も接近した状態とされて、各施術子８１ａ，８１ｃの施術突起８３間で挟み揉みを行うように動作する。このとき、各施術子８１ａ，８１ｃ間で挟まれた頭皮はその回転方向に移動される。
【００５６】
そこから更に、各施術子８１ａ〜８１ｄが９０度回転すると、同方向に回転する施術子８１ａ，８１ｂにおいて、それらの施術子ベース部８２の中心Ｐ１，Ｐ２は、同じタイミングで互いに最も接近する。そして、施術子８１ａ，８１ｂの間を局所的に見ると、各施術子８１ａ，８１ｂは、互いに接近した状態で互いにすれ違うように周回動作する。これにより、同じタイミングで接近する各施術子８１ａ，８１ｂで頭皮を挟むとともに、そこから互いにすれ違う動作によって頭皮にひねりの動きを与えることが可能となっている。そして、このように挟みの動作及びひねり揉みの動作を行う各施術子８１ａ，８１ｂを頭皮に接触させると、その各施術子８１ａ，８１ｂの動きに合わせて使用者の頭皮が効果的に動かされることになり、頭皮がケア（マッサージ）されることになる。また、施術子８１ｃ，８１ｄにおいても、この施術子８１ａ，８１ｂと同様の挟みとひねりの動きがなされるようになっている。
【００５７】
そこから更に、各施術子８１ａ〜８１ｄが９０度回転（図９の状態から１８０度回転）すると、施術子８１ｂ，８１ｄは、それらの間で挟みとさすり揉みを行うように動作する。このとき、施術子８１ｂ，８１ｄが左右方向において最も接近した状態とされて、各施術子８１ａ，８１ｃの施術突起８３間で挟み揉みを行うように動作する。このとき、前述したように各施術子８１ａ，８１ｃ間で挟まれた頭皮が各施術子８１ａ，８１ｃの動作によって施術子８１ｂ，８１ｄ側に移動され、施術子８１ｂ，８１ｄではそれに連続するように同方向に使用者の頭皮移動させるような動作が実施される。
【００５８】
このように、図９に示すような例では、各施術子８１ａ〜８１ｄ（中心Ｐ１〜Ｐ４）の回転角度に応じて、頭皮に対して異なる種類の動きを与えることが可能であるため、頭皮ケア効果の向上に寄与できるようになっている。
【００５９】
次に、本実施形態の頭皮ケア装置１０における特徴部位である停止手段について詳述する。なお、本実施形態の停止手段は、装置本体部１１から施術ヘッド部１２が取り外された状態においてモータ３２並びにこのモータ３２よるギヤ４１〜４６、そして各軸４７，５６の駆動を停止させるものである。
【００６０】
停止手段は、一方向（上下方向）に長いレバー部材３６ａと、このレバー部材３６ａを前記施術ヘッド部１２の着脱方向（取り外し方向）に付勢するばね部材３６ｂとを有している。
【００６１】
レバー部材３６ａは、図３及び図６に示すように、ギヤ基台４０に設けられる２つの湾曲壁部からなる支持部４０ｆと自身のフック部にて嵌合されている。また、レバー部材３６ａは、前記支持部４０ｆに嵌合された状態においてその一端側（上方側）がギヤ基台４０及びモータ基台３０に形成される上下方向に貫通した挿通孔に挿通可能とされている。このため、レバー部材３６ａの一端部は前記レバー金具３４ｄと当接可能とされている。より具体的には、前記ギヤ基台４０とモータ基台３０とが嵌合されたときにレバー金具３４ｄ上にレバー部材３６ａの一端部（上方側）が当接（係合）されるようになっている。
【００６２】
また、図３に示すようにレバー部材３６ａの他端側（下方側）は、前記防水基台５０の内の上下方向において対応する位置に形成された上下方向に貫通する貫通孔に常時挿通された状態とされる。なお、この貫通孔と前記レバー部材３６ａとの間にはＯリング３６ｃが介在されているため、本体ハウジング１３内への水等の浸入が防止されている。
【００６３】
また、レバー部材３６ａには、前記支持部４０ｆとの間に介在されるコイルばねからなる前記ばね部材３６ｂが外挿されている。このばね部材３６ｂはその上下方向一端側がギヤ基台４０の下面と当接し、上下方向他端側が前記レバー部材３６ａの上下方向途中位置に形成される大径部と当接するようになっている。このため、レバー部材３６ａは前記ばね部材３６ｂの付勢力を受けて上下方向下側（施術ヘッド部１２の取り外し方向）に付勢されるようになっている。ちなみに、施術ヘッド部１２を取り外した状態では、図１１に示すように、前記レバー部材３６ａの他端側（下方側）が露出されるようになっている。
【００６４】
また、前述したように前記レバー部材３６ａと上下方向において対応する位置に形成されるヘッドベース部６２の突起部６４ｂが前記施術ヘッド部１２（ヘッドベース部６２）を装置本体部１１側に取付けた際に、レバー部材３６ａを前記レバー金具３４ｄをモータ用金具３４ｃに近接させる方向に押し込まれるため、各金具３４ｃ，３４ｄが当接されてモータ３２に蓄電池３３からの電力が供給可能となっている。一方、施術ヘッド部１２が装置本体部１１から取り外された状態では、前記ばね部材３６ｂの付勢力によってレバー部材３６ａが施術ヘッド部１２取り外し方向に移動されて各金具３４ｃ，３４ｄを離間されるため、モータ３２及び蓄電池３３間の電力供給路が遮断される。
【００６５】
また、ヘッドベース部６２とこのヘッドベース部６２を取付ける装置本体部１１（本体ハウジング１３）側の形状が略同一形状とされているため、ヘッドベース部６２を装置本体部１１に対して周方向に略９０度回転させた状態でも取付けることが可能となっている。このため、ヘッドベース部６２の中心位置から同一距離に周方向に略９０度間隔で形成された突起部６４ｂを設けることで施術ヘッド部１２（ヘッドベース部６２）の向きに関係なく施術ヘッド部を取付けたときに前記レバー部材３６ａが前記突起部６４ｂのいずれかで動作するようになっている。
【００６６】
次に、本実施形態の特徴的な作用効果を記載する。
（１）施術ヘッド部１２が装置本体部１１に対して取り外された状態において、モータ３２の駆動を停止させる停止手段が備えられる。このように、装置本体部１１から施術ヘッド部１２が取り外された状態では、例えスイッチ操作部材２２が押圧操作されてもモータ３２の駆動が停止されたままであるため、使用者に装置本体部１１に対する施術ヘッド部１２の外れを知らせることができる。また、施術ヘッド部１２が取り外された状態で装置本体部１１の外部に露出される出力軸５６の駆動が停止されるため、出力軸５６を露出した状態での使用を防止でき安全性を向上させることができる。
【００６７】
（２）停止手段を構成するレバー部材３６ａは、前記施術ヘッド部１２の取り外しに連動して前記装置本体部１１から離間する方向に移動されることでモータ３２への電力供給路中において各金具３４ｃ，３４ｄの機械的な接触状態を非接触状態に切り替えられてモータ３２の駆動を停止させるように構成される。このような構成とすることで、蓄電池３３及びモータ３２間の電力供給路を確実に遮断することができる。
【００６８】
（３）停止手段は、施術ヘッド部１２の着脱方向と同方向に付勢されるとともに移動可能に設けられるレバー部材３６ａを有する。そして、レバー部材３６ａは、施術ヘッド部１２が装置本体部１１から取り外された状態ではレバー部材３６ａを付勢する付勢力にてモータ３２への電力供給が不能に構成される。さらに、レバー部材３６ａは、施術ヘッド部１２が装置本体部１１に取付けられた状態ではレバー部材３６ａを付勢する付勢力に抗する方向に押圧されてモータ３２への電力供給が可能に構成される。ここで、頭皮ケア装置１０の施術子８１ａ〜８１ｄの押し付けによるその反力が前記レバー部材３６ａの電力供給可能状態である方向（取付け方向）と動方向であるため、各金具３４ｃ，３４ｄ同士をより確実に接触させることができる。これにより、施術ヘッド部１２が装置本体部１１に取付けられた状態で確実にモータ３２を駆動可能とすることができる。
【００６９】
（４）停止手段の被付勢部材を構成するレバー部材３６ａは、施術子８１ａ〜８１ｄの動作軸である連結軸４７の直交方向において前記施術子８１ａ〜８１ｄ（回転基台５５）の動作領域から軸直交方向にずれた位置に配置される。このような構成とすることで、施術子８１ａ〜８１ｄ（回転基台５５）の動作を阻害させることなく、レバー部材３６ａが軸方向（上下方向）に移動可能に構成される。このため、施術ヘッド部１２が装置本体部１１から取り外されると、ばね部材３６ｂによりレバー部材３６ａが確実に移動されて前記金具３４ｃ，３４ｄの機械的接触状態から非接触状態とされて、モータ３２への電力供給を遮断させることができる。
【００７０】
尚、本発明の実施形態は、以下のように変更してもよい。
・上記実施形態では、蓄電池３３からモータ３２迄の間の電力供給路間に配置される金具３４ｃ，３４ｄ同士の接触状態により装置本体部１１に対する施術ヘッド部１２の着脱状態を検知する構成としたが、これに限らない。つまり、その他の構成にて施術ヘッド部１２の装置本体部１１に対する着脱状態を検知する構成を採用してもよい。このような構成としては、例えば、施術ヘッド部１２を着脱の際に移動するレバー部材３６ａの移動量を検知する検知センサを設け、この検知センサに基づくレバー部材３６ａの移動量に応じて施術ヘッド部１２の装置本体部１１に対する着脱状態を検知する構成が考えられる。この他、施術ヘッド部１２を着脱の際に移動する前記レバー部材３６ａの接触圧を検知する接触圧センサ等を設け、この接触圧センサに基づくレバー部材３６ａの接触圧に応じて施術ヘッド部１２の装置本体部１１に対する着脱状態を検知する構成なども考えられる。また、施術ヘッド部１２の着脱状態に応じて光量が変化する位置に受光素子等を設け、この受光素子にて検出される光量によって施術ヘッド部１２の装置本体部１１に対する着脱状態を検知する構成を採用してもよい。
【００７１】
・上記実施形態では、前記回転基台５５に連結される各連結軸４７を最短の線分で結ぶ領域の外側のとなる位置に停止手段を構成する被付勢部材としてのレバー部材３６ａを配置する設定したが、これに限らない。例えば、各連結軸４７を最短の線分で結ぶ領域の内側となる位置に前記レバー部材３６ａを配置する構成を採用してもよい。ただし、この構成の場合においては、前記回転基台５５並びに施術子８１ａ〜８１ｄの動作を阻害しない位置にレバー部材３６ａを配置することが好ましい。
【００７２】
・上記実施形態では、４つの突起部６４ｂの内の１つの突起部６４ｂによって前記レバー部材３６ａを上方側に押圧してレバー金具３４ｄとモータ用金具３４ｃとを当接させる構成としたが、これに限らない。例えば、各４つの突起部６４ｂの全てに対応するようにレバー部材３６ａ及びばね部材３６ｂを設けて、各突起部６４ｂにて各レバー部材３６ａが押圧されることで各金具３４ｃ，３４ｄが当接される構成を採用してもよい。
【００７３】
・上記実施形態では、突起部６４ｂを桟部６４のリブ部６４ａの逆側に周（面）方向において略９０度間隔となるよう計４つ設ける構成としたが、これに限らない。
・上記実施形態では、突起部６４ｂを４つ設ける構成としたが、これに限らず、少なくとも前記レバー部材３６ａと上下方向（軸方向）において対応する位置に１つ設ければよい。
【００７４】
・上記実施形態では、特に言及していないが、例えば施術ヘッド部１２を装置本体部１１に対する着脱による、モータ３２の電気的若しくは機械的な負荷変動から施術ヘッド部１２の着脱状態を検知して、駆動源としてのモータ３２への電力供給を制御する構成を採用してもよい。
【００７５】
・上記実施形態では、連結軸４７と出力軸５６とが軸直交方向（面方向）にずれた位置で前記連結軸４７を中心として出力軸５６がその周囲を偏心する構成としたが、連結軸４７と出力軸５６が同軸上で回転する構成を採用してもよい。この場合、施術子８１ａ〜８１ｄは各施術子８１ａ〜８１ｄの施術突起８３の配置中心（Ｐ１〜Ｐ４）を中心軸として回転動作するため、施術子８１ａ〜８１ｄとカバー部６１とは別体であることが望ましい。
【００７６】
・上記実施形態では、施術子８１ａ〜８１ｄが前記連結軸４７（出力軸５６）と直交する方向（面方向）に動作する構成としたが、施術子８１ａ〜８１ｄを軸方向に動作させる構成を採用してもよい。このような構成とすることで使用者の頭皮を叩くような刺激を付与することができる。また、施術子８１ａ〜８１ｄを軸直交方向及び軸方向に動作させる構成を採用してもよい。
【００７７】
・上記実施形態では、施術ヘッド部１２を構成するカバー部６１と施術子８１ａ〜８１ｄとを可撓性部材にて一体成形する構成としたが、別体とした構成を採用してもよい。但し、施術子８１ａ〜８１ｄの施術突起８３は、いずれの構成においても可撓性部材（弾性部材）にて構成することが望ましい。
【００７８】
・上記実施形態では、施術子８１ａ〜８１ｄを４つ設ける構成としたが、その数は任意に変更してもよい。また、施術子８１ａ〜８１ｄを構成する施術突起８３をそれぞれ４つずつ設ける構成としたが、その数は任意に変更してもよく、例えば各施術子８１ａ〜８１ｄにおいて施術突起８３の数が異なってもよい。更に、各施術突起８３の先端に更に小径の突起８３ａを３つ設ける構成としたが、その数は任意に変更してもよく、例えば各施術突起８３において突起８３ａの数が異なってもよい。また、前記突起８３ａを省略した構成を採用してもよい。
【符号の説明】
【００７９】
１０…頭皮ケア装置、１１…装置本体部、１２…施術ヘッド部、３２…駆動源としてのモータ、３４ｃ…停止手段を構成するモータ用金具、３４ｄ…停止手段を構成するレバー金具、３６ａ…停止手段を構成するレバー部材（被付勢部材）、３６ｂ…停止手段を構成するばね部材、６４ｂ…停止手段を構成する突起部、８１ａ〜８１ｄ…施術子、８３…施術突起。
【図１】
2012061174.tif 000003
【図２】
2012061174.tif 000004
【図３】
2012061174.tif 000005
【図４】
2012061174.tif 000006
【図５】
2012061174.tif 000007
【図６】
2012061174.tif 000008
【図７】
2012061174.tif 000009
【図８】
2012061174.tif 000010
【図９】
2012061174.tif 000011
【図１０】
2012061174.tif 000012
【図１１】
2012061174.tif 000013
【図１２】
2012061174.tif 000014
【図１３】
2012061174.tif 000015
【図１４】
2012061174.tif 000016
【図１５】
2012061174.tif 000017
【図１６】
2012061174.tif 000018
【図１７】
2012061174.tif 000019
【図１８】
2012061174.tif 000020